(57)【特許請求の範囲】
【請求項１】
傾斜部と水平部が一体に設けられるとともに前記傾斜部と前記水平部の間にＲ曲面部が設けられる部材に対して使用され、前記傾斜部と前記水平部の両方から等距離で前記Ｒ曲面部上に位置する前記傾斜部と前記水平部の境界位置を特定するために使用される治具であって、
前記境界位置を特定するための２点を、前記傾斜部上および前記水平部上のそれぞれに１点ずつ決定する基準点決定手段を備えており、
この基準点決定手段は、相対的に回動可能に結合される第１部材と第２部材を有し、
これら第１部材および第２部材の一方の部材に前記水平部に面接触可能な平面部を設け、他方の部材に前記傾斜部に面接触可能な平面部を設けるとともに、
前記一方の部材の平面部が前記水平部に面接触した状態で、前記他方の部材の平面部が傾斜部に面接触可能な構造にしてあることを特徴とするエレベータのリニューアル用治具。
【請求項２】
前記一方の部材には、前記境界位置から所定距離にある前記水平部上の位置を示す指示部を設けてあり、前記他方の部材には、前記境界位置から所定距離にある前記傾斜部上の位置を示す指示部を設けてあることを特徴とする請求項１記載のエレベータのリニューアル用治具。
【請求項３】
前記第１部材に設けた前記指示部と、前記第２部材に設けた前記指示部とを、前記第１部材および前記第２部材の回動中心から等距離に設定してあることを特徴とする請求項２記載のエレベータのリニューアル用治具。
【請求項４】
前記指示部の示す位置に、ペンの先を位置決めするペン先位置決め部を設けてあることを特徴とする請求項２または３に記載のエレベータのリニューアル用治具。
【請求項５】
前記一方の部材に設けられ、前記水平部に対する前記傾斜部の傾斜角度を測定可能な角度測定手段を備えることを特徴とする請求項１〜４のいずれか１項に記載のエレベータのリニューアル用治具。
【請求項６】
一方側の上弦部分と他方側の上弦部分との間に架渡され、前記一方側の水平部に対する前記他方側の水平部の長手方向のずれ、および前記一方側の傾斜部に対する前記他方側の傾斜部の傾斜方向のずれを検出可能なずれ検出手段を備えることを特徴とする請求項１〜５のいずれか１項に記載のエレベータのリニューアル用治具。
【請求項７】
前記ずれ検出手段に水準器が設置可能であることを特徴とする請求項６記載のエレベータのリニューアル用治具。
【発明の詳細な説明】
【０００１】
【発明の属する技術分野】
本発明は、既設のフレームを利用するエスカレータのリニューアルに用いられるエスカレータのリニューアル用治具に関する。
【０００２】
【従来の技術】
従来、エスカレータを新設する場合、エスカレータを構成する各機材の配置の基準位置は、設計図上で決定される。例えば、この基準位置は、床面の延長面と、フレームの上弦部分に含まれる傾斜部の延長面との交線である。
【０００３】
【発明が解決しようとする課題】
しかし、既設のフレームを利用してエスカレータをリニューアルする場合、既設のフレームは経年的に受ける荷重により変形している恐れがある。そして、既設のフレームが変形している場合は、設計図上に決定された基準位置と、既設のエスカレータに実際に存在する基準位置とが、ずれていると考えられる。
【０００４】
そこで、変形を生じている恐れのある既設のフレーム上でも、新設の各機材を良好に配置するための基準位置を設けることができる治具の開発が従来から要望されていた。
【０００５】
本発明の目的は、上述の要望を考慮してなされたもので、新設する各機材の配置の基準位置を、既設のフレーム上に設けることができるエスカレータのリニューアル用治具を提供することにある。
【０００６】
【課題を解決するための手段】
上述の目的を達成するために、本発明は、傾斜部と水平部が一体に設けられるとともに前記傾斜部と前記水平部の間にＲ曲面部が設けられる部材に対して使用され、前記傾斜部と前記水平部の両方から等距離で前記Ｒ曲面部上に位置する前記傾斜部と前記水平部の境界位置を特定するために使用される治具であって、前記境界位置を特定するための２点を、前記傾斜部上および前記水平部上のそれぞれに１点ずつ決定する基準点決定手段を備えており、この基準点決定手段は、相対的に回動可能に結合される第１部材と第２部材を有し、これら第１部材および第２部材の一方の部材に前記水平部に面接触可能な平部を設け、他方の部材に前記傾斜部に面接触可能な平面部を設けるとともに、前記一方の部材の平面部が前記水平部に面接触した状態で、前記他方の部材の平面部が傾斜部に面接触可能な構造にしてある。
【０００７】
エスカレータのフレームは、水平部と傾斜部が一体に形成された上限部分を有し、水平部と傾斜部の間には、Ｒ曲面部が設けられている。このＲ曲面部上に位置する境界位置を特定する際、本発明の基準点決定手段を次のように用いる。
【０００８】
まず、第１部材および第２部材の一方の部材を、上弦部分の水平部に面接触させた状態で、他方の部材を傾斜部に面接触させる。
【０００９】
このとき、一方の部材と水平部との接触面から回動中心までの距離は、一方の部材の平面部から回動中心までの距離に等しくなり、他方の部材と傾斜部との接触面から回動中心までの距離は、他方の部材の平面部から回動中心までの距離に等しくなる。なお、各接触面上の点から回動中心までの各距離は、設計時に設定される値である。
【００１０】
また、各接触面上の点から回動中心までの各距離の比は、これら各点から境界位置までの各距離の比と対応している。
【００１１】
これにより、境界位置に対して一定の位置関係にある２点を決定でき、これら２点を基準にして、精度よく境界位置を特定することができる。
【００１２】
エスカレータをリニューアルする際、既設のフレーム上の境界位置は、新設の各機材の配置の基準位置とすることができる。つまり、本発明は、新設する各機材の配置の基準位置を、既設のフレーム上に設けることができる。
【００１３】
なお、上述の治具において、例えば次の（１）〜（６）の点を考慮してもよい。
【００１４】
（１）前記第１部材および前記第２部材の前記一方の部材に、前記境界位置から所定距離にある前記水平部上の位置を示す指示部を設けてあり、前記他方の部材に、前記境界位置から所定距離にある前記傾斜部上の位置を示す指示部を設ける。
【００１５】
（２）前記第１部材に設けた前記指示部と、前記第２部材に設けた前記指示部とを、前記第１部材および前記第２部材の回動中心から等距離に設定する。
【００１６】
（３）前記指示部の示す位置に、ペンの先を位置決めするペン先位置決め部を設ける。
【００１７】
（４）前記一方の部材に設けられ、前記水平部に対する前記傾斜部の傾斜角度を測定可能な角度測定手段を備える。
【００１８】
（５）一方側の上弦部分と他方側の上弦部分との間に架渡され、前記一方側の水平部に対する前記他方側の水平部の長手方向のずれ、および前記一方側の傾斜部に対する前記他方側の傾斜部の傾斜方向のずれを検出可能なずれ検出手段を備える。
【００１９】
（６）前記ずれ検出手段に水準器を設置可能にする。
【００２０】
【発明の実施の形態】
まず、本発明のエレベータのリニューアル用治具の一実施形態が適用されるエスカレータについて説明する。
【００２１】
図１に示すように、既設のエスカレータ１は、減速機や電動機を備える駆動装置２、この駆動装置２によって駆動するターミナルギア３、無端状に連結される複数の踏段６、これら踏段６をガイドするガイドレール４、踏段６と同期するハンドレール７、このハンドレール７を支持するハンドレールフレーム８、このハンドレールフレーム８の下方に設けられる内デッキ９および外デッキ１０などを備えている。そして、これらの機材を備えるエスカレータ１全体は、フレーム５によって支持されている。
【００２２】
この既設のエスカレータ１は、上述の既設のフレーム５の上側部分を形成する上弦部分に含まれる水平部と傾斜部の間に、Ｒが設けられた部分、すなわちＲ曲面部を有する。例えば下階側の上弦部分には、図２に示すように、水平部５ａと傾斜部５ｂの間にＲ曲面部５ｃが設けられている。
【００２３】
水平部５ａおよび傾斜部５ｂの両方から等距離にあるＲ曲面部５ｃ上の境界位置５ｄは、既設のフレーム５を利用するエスカレータ１のリニューアルを行なうに際し、新設する各機材の配置の基準位置として好適である。
【００２４】
本実施形態は、一方側の上弦部分に対応する第１治具１１と、他方側の上弦部分に対応する第２治具３１の２種類である。この２種類の治具１１，３１は、大部分が同じ構成なので、第１治具１１を上述の境界位置５ｄの特定に使用する場合を例に挙げて説明する。
【００２５】
第１治具１１は、境界位置５ｄを特定するための基準点を決定する基準点決定手段を備えている。すなわち、図４〜６に示すように、第１部材１２と第２部材１３を相対的に回動可能に支持する回動支持部１４とを備えている。
【００２６】
第１部材１２は、長方形状の板体の角の１つに切欠き部１２ｂを設けたものである。第２部材１３も第１部材１２と同様の形状であり、長方形状の板体の角の１つに切欠き部１３ｂを設けたものである。これらの第１部材１２と第２部材１３は外形寸法を同寸法に設定してある。また、図６に示すように、第１部材１２は、水平部５ａに面接触する平面部１２ａを有し、第２部材１３には傾斜面５ｂに面接触する平面部１３ａを有する。
【００２７】
回動支持部１４は、図５に示すように、第１部材１２と第２部材１３を貫通するボルト１４ａ，ナット１４ｂ，スプリングワッシャ１４ｃ，および平ワッシャ１４ｄによって構成してある。
【００２８】
この回動支持部１４の位置は、回動中心から平面部１２ａ、１３ａのそれぞれまでの距離が等しくなるように、第１部材１２と第２部材１３とを結合している。すなわち、図６に示すように、平面部１２ａと切欠き部１２ｂによって形成される角と、平面部１３ａと切欠き部１３ｂによって形成される角とを、境界位置５ｄ上の点Ｄを挟んで等距離にある点Ａ，Ｂを示す指示部１２ｃ，１３ｃとして機能させている。
【００２９】
これら指示部１２ｃ，１３ｃのそれぞれには、図８に示すように、微小な切欠き部、すなわちペンの先を指示部１２ｃ，１３ｃの示す点Ａ，Ｂ位置に位置決めするペン先位置決め部１２ｄ，１３ｄを設けて、点Ａ，Ｂを正確に印すことができるようにしてある。
【００３０】
このように構成した基準点決定手段は、境界位置５ｄの基準点を決定する際に、次のように用いる。
【００３１】
まず、第１治具１１をＲ曲面部５ｃ上に配置し、第１部材１２の平面部１２ａを水平部５ａに面接触させた状態で、第２部材１３の平面部１３ａを傾斜部５ｂに面接触させる。すなわち、第１治具１１をＲ曲面部５ｃ上に位置決めする。
【００３２】
このとき、第１部材１２と水平部５ａとの接触面から回動中心までの距離は、平面部１２ａから回動中心までの距離に等しくなる。また第２部材１３と傾斜部５ｂとの接触面から回動中心までの距離は、平面部１３ａから回動中心までの距離に等しくなる。また、各接触面上の各点から回動中心までの各距離の比は、これら各点から境界位置までの各距離の比と対応している。
【００３３】
つまり、指示部１２ｃ，１３ｃの示す点Ａ，Ｂは、各接触面上の各点に相当し、したがって、境界位置５ｄから等距離にある２点が決定されたことになる。なお、これら２点Ａ，Ｂから等距離にあるＲ曲面部５ｃ上の点Ｄを含み、上弦部分の長手方向に直角な線の位置が境界位置５ｄである。
【００３４】
また、第１治具１１は、図４〜６に示すように、水平部５ａに対する傾斜部５ｂの角度を測定可能な角度測定手段、すなわち角度測定器１８を備えている。すなわち、第１部材１２に設けられ、角度の目盛りが表示された角度表示板１９と、この角度表示板１９が平面部１２ａに対して直角方向に移動するのをガイドするガイド溝２０と、角度表示板１９をスライド可能にガイド溝２０位置に支持する角度表示板支持部２１とを備えている。
【００３５】
角度表示板１９は、平面部１２ａに平行な０°を示す目盛りと、この目盛りから上方および下方のそれぞれで３０°を示す目盛りとを、長い線で表示してある。また、３０°の各目盛りから上方および下方で３２°〜３６°を示す目盛りを短い線で表示してある。
【００３６】
ガイド溝２０は、平面部１２ａに直角方向に沿って形成した長穴である。
【００３７】
角度表示板支持部２１は、図５に示すように、角度表示板１９およびガイド溝２０に挿通されるボルト２１ａと、このボルト２１ａに螺合するナット２１ｂと、ボルト２１ａに挿通され、ナット２１ｂと角度表示板１９に挟まれるスプリングワッシャ２１ｃ，平ワッシャ２１ｄとによって構成してある。
【００３８】
このように構成した角度測定器１８は、水平部５ａに対する傾斜部５ｂの角度を測定するに際し、次のように用いる。
【００３９】
まず、第１治具１１をＲ曲面部５ｃ上に配置する。すなわち第１部材１２の平面部１２ａを水平部５ａに面接触させた状態で、第２部材１３の平面部１３ａを傾斜部５ｂに面接触させ、この状態で第１治具１１をＲ曲面部５ｃ上に固定する。
【００４０】
次に、第１部材１２に対する第２部材１３の回動角度に応じて、ガイド溝２０に沿って角度表示板１９を上下方向に移動させて、第２部材１３の上面の延長面に目盛りを重なり合わせる。そして、角度表示板１９の０°の目盛りが平面部１２ａと平行であるかどうかを直尺で確認してから、第２部材１３の上面または平満面１３ａの延長面と重なり合った目盛りを読み取る。
【００４１】
また、第１治具１１は、図４〜６に示すように、水平部５ａ上に載置された第１部材１２を支持する支持部２４を備える。この支持部２４は、第１部材１２側部に溶着されたＬ型部材から成り、このＬ型部材の一方の板部分の平面部を第１部材１２の平面部１２ａと同一平面上となるように配置してある。
【００４２】
この支持部２４は、図７に示すように、第１部材１２の平面部１２ａが水平部５ａに面接触した状態で、水平部５ａとともに万力２６によって挟まれ、これにより第１治具１１を水平部５ａに固定するものである。
【００４３】
なお、第２治具３１は、第１治具１１と同様に、第１部材１２、第２部材１３、回動支持部１４、角度測定部１８、および支持部２４を備え、これらを第１部材１２を中心に第１治具１１と対称に配置したものである。
【００４４】
第１治具１１および第２治具３１は、両上弦部分の相対的なずれを検出可能なずれ検出手段、すなわちずれ検出器４６を構成可能な構造にしてある。
【００４５】
すなわち、ずれ検出器４６は、図１０に示すように、第１治具１１と第２治具３１の間に架渡される横渡し部材４６ａと、第１治具１１に設けられ、この横渡し部材４６ａの一端を固定する横渡し部材固定部２５と、第２治具３１に設けられ、横渡し部材４６ａの他端を載置する横渡し部材載置部４５とによって構成してある。なお、この第２治具３１と第１治具１１との構成上の相違点は、第２治具３１がずれ検出器４６を構成する横渡し部材載置部４５を備えるのに対し、第１治具１１はそれに相当する位置にずれ検出器４６を構成する横渡し部材固定部２５を備えている点だけである。
【００４６】
横渡し部材４６ａは、第１治具１１と第２治具３１の間の距離に対応する長さの板体から成る。この横渡し部材４６ａの一端には、ボルト４６ｃが挿通されるボルト挿通穴４６ｄを設けてある。また、この横渡し部材４６ａの他端には、この部材４６ａの長手方向と平行な線４６ｂを印してある。
【００４７】
横渡し部材固定部２５は、図４，５に示すように、Ｌ型部材２５ａを、第１治具１１の第１部材１２の側部に溶着したものである。このＬ型部材２５ａの一方の板部分を平面部１２ａと平行にしてあり、この板部分に横渡し部材４６ａが載置される。また、Ｌ型部材２５ａの一方の板部分には、上述のボルト４６ｃを挿通するボルト挿通穴２５ｂを設けてある。このボルト挿通穴２５ｂ下部開口には、ナットを溶着した雌ねじ部２５ｃを設けてあり、ボルト４６ｃが螺合するようにしてある。
【００４８】
横渡し部材載置部４５は、図９に示すように、横渡し部材固定部２５のＬ型部材２５ａと同様のＬ型部材４５ａを、Ｌ型部材２５ａと同様に第２治具３１の第１部材１２の側部に溶着したものである。このＬ型部材４５ａは、横渡し部材４６ａが載置される板部分に、第１部材１２の側面に直角な線４５ｂを印してある。
【００４９】
このように構成したずれ検出器４６では、両上弦部分の相対的なずれ、例えば１対の上弦部分の水平部５ａの長手方向の相対的なずれを検出する際に、次のように用いる。
【００５０】
まず、第１治具１１を、一方の上弦部分のＲ曲面部５ｃ上に配置する。すなわち、第１部材１２の平面部１２ａを水平部５ａに面接触させた状態で、第２部材１３の平面部１３ａを傾斜部５ｂに面接触させる。また、同様に、第２治具３１を他方の上弦部分のＲ曲面部５ｃ上に配置する。
【００５１】
次に、横渡し部材固定部２５と横渡し部材載置部４５の間に横渡し部材４６ａを架渡す。このとき、この横渡し部材４６ａが上弦部分に対して直角になるように配置する。そして、横渡し部材４６ａの一端を横渡し部材固定部２５にボルト４６ｃで締結する。
【００５２】
これにより、横渡し部材載置部４５の線４５ｂと、横渡し部材４６ａの線４６ｂとの位置が一致するかどうかによって１対の上弦部分の水平部５ａ間に、これら水平部５ａの長手方向の相対的なずれが生じていないかどうかを検出する。
【００５３】
また、この横渡し部材４６ａの上面は、水準器４７が設置可能に平坦に形成してあり、横渡し部材上４６ａでフレーム５の水平度を測定可能にしてある。
【００５４】
リニューアル方法の一実施形態は、図３に示す工程Ｓ１〜Ｓ７によって構成してあり、これらの工程Ｓ１〜Ｓ７に従って第１治具１１および第２治具３１を用いて行なう作業は、次の（１）〜（１３）のようになる。
【００５５】
（１）第１治具１１を上弦部分上のＲ曲面部５ｃに配置する（Ｓ１）。すなわち、図５に示すように、水平部５ａに第１部材１２の平面部１２ａを面接触させ、傾斜部５ｂに第２部材１３の平面部１３ａを面接触させる。このとき、直尺などを用いて第１治具１１を上弦部分の長手方向と平行になるように配置する。そして、図７に示すように、万力２６で本体支持部２４と水平部５ａを挟み、第１治具１１を固定する。
【００５６】
（２）角度計測器１８によって、水平部５ａに対する傾斜部５ｂの傾斜角度を確認する（Ｓ２）。すなわち、図６に示すように、ガイド溝２０に沿って角度表示板１９を上下方向に移動させ、第２部材１３上面の延長面に目盛りを重なり合わせる。このとき、角度表示板１９の０°の目盛りが平面部１２ａと平行であるかどうかを直尺で確認してから、その目盛りを読み取る。つまり、既設のフレーム５は経年的に受ける荷重によって変形している恐れがあるので、既設のフレーム５の傾斜角度を実測し、その実測値が設計図上の値と比較してずれていないかどうかを確認する。ずれている場合は、そのずれの程度を把握しておく。
【００５７】
（３）第１治具１１の指示部１２ｃ，１３ｃによって示される上弦部分上の２点Ａ，Ｂに印を付ける（Ｓ３）。すなわち、図６に示すように、第１部材１２の指示部１２ｃが水平面５ａ上に示す点Ａと、第２部材１３の指示部１３ｃが傾斜面５ｂ上に示す点Ｂとに、ペンなどで印を付ける。
【００５８】
（４）点Ａ，Ｂを基準に境界位置５ｄを特定する（Ｓ４）。すなわち、図１１に示すように、Ｒ曲面部５ｃ上で点Ａ，Ｂの両方からの距離が等しくなる点Ｄを、巻尺５０などを用いて探し、その点Ｄ位置に印を付ける。そして、上弦部分の長手方向に直角で、点Ｄを含む線を引く。つまり、この線が境界位置５ｄであり、これにより境界位置５ｄが特定されたことになる。
【００５９】
このようにして特定される境界位置５ｄを、図形的に説明する。まず、図１２に示すように、回動支持部１４の回動中心は点Ｆ、水平部５ａの延長面と傾斜部５ｂの延長面の交線は点Ｇとおくと、三角形ＦＢＡ，ＧＡＢは、底辺ＡＢを共有する二等辺三角形である。また、これらの三角形ＦＢＡ，ＧＡＢによって形成される四角形ＦＢＧＡは、対角線ＦＧを中心線とする線対称な図形、すなわち三角形ＦＡＧ，ＦＢＧが対角線ＦＧを中心として線対称な図形となる。つまり、対角線ＦＧは点Ａおよび点Ｂの両方から等距離にあり、この対角線ＦＧ上には点Ｄがある。したがって、上述のように上弦部分の長手方向に直角で点Ｄを含むように引かれた線は、水平部５ａおよび傾斜部５ｂの両方から等距離にあるＲ曲面部５ｃ上の境界位置５ｄである。
【００６０】
（５）上述の（１）の作業と同様に、第１治具１１を上弦部分上のＲ曲面部５ｆ上に配置する（Ｓ１）。すなわち、図１３を示すように、水平部５ｅに第１部材１２の平面部１２ａを面接触させ、傾斜部５ｂに第２部材１３の平面部１３ａを面接触させる。そして、図示しないが、直尺などを用いて第１治具１１を上弦部分の長手方向と平行になるように配置し、万力２６で本体支持部２４と水平部５ｅを挟んで、第１治具１１を固定する。
【００６１】
（６）上述の（２）の作業と同様に、角度計測器１８によって水平部５ｅに対する傾斜部５ｂの傾斜角度を確認する（Ｓ２）。すなわち、同図１３に示すように、ガイド溝２０に沿って角度表示板１９を上下方向に移動させ、第２部材１３の平面部１３ａの延長面に目盛りを重なり合わせる。このとき、角度表示板１９の０°の目盛りが平面部１２ａと平行であるかどうかを直尺で確認してから、その目盛りを読み取る。そして、実測値が設計図上の値とずれている場合は、そのずれの程度を把握しておく。
【００６２】
（７）第１部材１２と水平部５ｅとの接触面上、および第２部材１３と傾斜部５ｂとの接触面上に、回動支持部１４の回動中心から等距離にある２点Ｈ，Ｉに印を付ける（Ｓ３）。すなわち、同図１３に示すように、第１部材１２の指示部１２ｃから距離を測って第１部材１２と水平部５ｅとの接触面上に点Ｈを印し、第２部材１３の指示部１３ｃから距離を測って第２部材１３と傾斜部５ｂとの接触面上に点Ｉを印す。このとき、指示部１２ｃから点Ｈまでの距離と、指示部１３ｃから点Ｉまでの距離は同じ距離にする。
【００６３】
（８）２点Ｈ，Ｉを基準に境界位置５ｊを特定する（Ｓ４）。すなわち、図示しないが、Ｒ曲面部５ｆ上で点Ｈ，Ｉの両方からの距離が等しくなる点Ｊを、巻尺５０などを用いて探し、印を付ける。そして、上弦部分の長手方向に直角で、点Ｊを含む線を引きく。つまり、この線の位置が境界位置５ｊであり、これにより水平部５ｅと傾斜部５ｂの境界位置５ｊが特定されたことになる。
【００６４】
なお、他方の上弦部分の境界位置を特定する場合にも、上述の（１）〜（８）の作業を行なう。すなわち、下階側の境界位置については第２治具３１を用いて（１）〜（３）の作業を行なったのちに、（４）の作業を行う。また、上階側の境界位置については第２治具３１を用いて（５）〜（７）の作業を行なったのちに、（８）の作業を行う。
【００６５】
（９）１対の上弦部分の両方について（１）〜（８）の作業を行なったのち、第１治具１１および第２治具の両方について再び（１）の作業を行なう。すなわち、図１０に示すように、一方側の上弦部分上の第１治具１１と、他方側の上弦部分上の第２治具３１との位置を対応させて設置する。
【００６６】
（１０）第１治具１１と第２治具３１の間に横渡し部材４６ａを設置する。すなわち、同図１０に示すように、横渡し部材４６ａの長手方向が第１部材１２に対して、すなわち一方の上弦部分の長手方向に対して直角になるように、横渡し部材４６ａの一端を横渡し部材固定部２５に載せ、他端を第２治具３１の横渡し部材載置部４５に載せる。そして、一端をボルト４６ｃで締結して固定する。このとき、この横渡し部材４６ａが第１部材１２に直角かどうかは直尺で確認する。
【００６７】
（１１）１対の上弦部分間、例えば水平部５ａ間に、これら水平部５ａの長手方向に相対的なずれが生じていないかどうかを確認する（Ｓ５）。すなわち、同図１０に示すように、横渡し部材４６ａの線４６ｂ位置と、横渡し部材載置部４５の線４５ｂ位置とが一致するかどうかを確認する。ずれているときは、線４６ｂ，４５ｂ間の距離Ｅを測定する。
【００６８】
（１２）横渡し部材４６ａ上に水準器４７を設置し、既設のフレーム５の水平度を確認する（Ｓ６）。
【００６９】
（１３）このように（１）〜（１２）の作業を行なったのち、（２），（６）で測定した傾斜角度、および（１１），（１２）の作業で検出されたずれの程度を考慮し、境界位置５ｄ，５ｊおよび他方の上弦部分の境界位置を基準位置にして、新設する各機材の配置を決定し、取付ける（Ｓ７）。例えば、図１４に示すように、メインチェーンスプロケット組品６０のメインチェーンスプロケット６０ａの取付位置を、境界位置５ｊから水平方向に寸法Ｋの位置に決定して取付ける。また、テンションチェーンスプロケット組品７０のテンションチェーンスプロケット７０ａの取付位置を、境界位置５ｊから傾斜方向に寸法Ｌの位置に決定して取付ける。
【００７０】
このように本実施形態では、エスカレータのリニューアルに際し、傾斜方向および水平方向の双方の起点となる境界位置５ｄ，５ｊを、新設する各機材の基準位置にする。これにより、エスカレータ１の傾斜方向に対応させて配置する各機材、およびエスカレータ１の水平方向に対応させて配置する各機材の両方の基準位置にすることができる。したがって、このエスカレータ１のリニューアル作業を効率よく行なうことができる。
【００７１】
また、本実施形態では、第１治具１１および第２治具３１に基準点決定手段によって境界位置５ｄ，５ｊから等距離にある２点Ａ，Ｂ、２点Ｈ，Ｉを水平部５ａ，５ｅ上および傾斜部５ｂ上に決定し、これらの２点Ａ，Ｂ、２点Ｈ，Ｉを基準にして境界位置５ｄ，５ｊを精度よく特定することができる。つまり、既設のフレームの境界位置を、新設する各機材の基準位置とすることができる。
【００７２】
また、本実施形態では、治具１１，３１は角度測定器１８、ずれ検出器４６、および水準器４７を備えている。これにより、治具１１，３１とは別に角度測定器１８、ずれ検出器４６、および水準器４７と同様の機能を有する機材を用意する必要がない。したがって、既設のフレーム５の変形やずれの程度を効率よく把握することができる。
【００７３】
なお、本実施形態では、境界位置５ｄから等距離にある２点Ａ，Ｂを基準に境界位置５ｄを特定し、また、境界位置５ｊから等距離にある２点Ｈ，Ｉを基準に境界位置５ｊを特定したが、本発明はこれに限るものでない。すなわち、境界位置５ｄ，５ｊの特定するための２点は、一方の点が第１部材１２と水平部５ａとの接触面上の点であり、他方の点が第２部材１３と傾斜部５ｂとの接触面上の点であれば、互いに境界位置５ｄ，５ｊから異なる距離でもよい。
【００７４】
また、本実施形態では、回動支持部１４が、ボルト１４ａ、ナット１４ｂ，スプリングワッシャ１４ｃ、平ワッシャ１４ｄによって構成してある。しかし、本発明はこれに限るものではなく、回動支持部を、軸および軸受によって構成し、治具の精度を向上させてもよい。
【００７５】
また、本実施形態では、１対の上弦部材の水平部５ａ間にずれ検出器４６を設置し、これら水平部５ａ間で相対的なずれの有無を確認することによって、１対の上弦部分間の相対的なずれが生じていないかどうかを確認した。しかし、本発明はこれに限るものではない。すなわち、１対の上弦部分の傾斜部５ｂ間に第１治具１１および第２治具３１のそれぞれを配置し、ずれ検出器４６を設置して、これにより、１対の上弦部分間に相対的なずれが生じていないかどうかを確認してもよい。
【００７６】
【発明の効果】
以上のように、本発明では、エスカレータのリニューアルに際し、基準点決定手段によって、エスカレータのフレームの上弦部分における水平部上および傾斜部上のそれぞれに境界位置から一定の位置関係にある２点を決定でき、これらの２点を基準にして、新設する各機材の配置の基準位置にできる境界位置を、精度よく特定することができる。これにより、エスカレータのリニューアル作業を効率よく行なうことができる。
【図面の簡単な説明】
【図１】  本発明のエスカレータのリニューアル用治具の一実施形態が適用されるエスカレータの斜視図である。
【図２】  図１に示すエスカレータの上弦部分の下階側の境界位置を示す斜視図である。
【図３】  図１に示すエスカレータのリニューアルの一実施形態の工程を示すフローチャートである。
【図４】  一方側の上弦部分に対応する第１治具を示す側面図である。
【図５】  図４に示す第１治具のＸ−Ｘ矢視図である。
【図６】  図４に示す第１治具を上弦部分の下階側のＲ曲面部に対して使用している状態を示す側面図である。
【図７】  図４に示す第１治具の正面図である。
【図８】  図４に示す治具に設けられるペン先ガイド部を示す拡大図である。
【図９】  他方側の上弦部分に対応する第２治具に備えられる横渡し部材載置部を示す斜視図である。
【図１０】  第１治具および第２治具を利用してずれ検出器および水準器を設置した状態を示す平面図である。
【図１１】  図６に示す２点を基準に境界位置を特定する様子を示す斜視図である。
【図１２】  図１１示す境界位置を図形的に説明する図である。
【図１３】  図４に示す第１治具を上弦部分の上階側のＲ曲面部に対して使用している状態を示す側面図である。
【図１４】  メインチェーンスプロケット組品およびテンションチェーンスプロケット組品の配置が決定された状態を示す説明図である。
【符号の説明】
１      エスカレータ
５      フレーム
５ａ    水平部
５ｂ    傾斜部
５ｃ    Ｒ曲面部
５ｄ    境界位置
５ｅ    水平部
５ｆ    Ｒ曲面部
５ｊ    境界位置
１１    第１治具
１２    第１部材（基準点決定手段）
１２ａ  平面部
１２ｃ  指示部
１２ｄ  ペン先位置決め部
１３    第２部材（基準点決定手段）
１３ａ  平面部
１３ｃ  指示部
１３ｄ  ペン先位置決め部
１４    回動支持部
１８    角度測定器（角度測定手段）
３１    第２治具
４６    ずれ検出器（ずれ検出手段）
４７    水準器
５０    巻尺
６０    メインチェーンスプロケット組品
６０ａ  メインスプロケット
７０    テンションチェーンスプロケット組品
７０ａ  テンションチェーンスプロケット
【図１】
0003797876.tif 000002
【図２】
0003797876.tif 000003
【図３】
0003797876.tif 000004
【図４】
0003797876.tif 000005
【図５】
0003797876.tif 000006
【図６】
0003797876.tif 000007
【図７】
0003797876.tif 000008
【図８】
0003797876.tif 000009
【図９】
0003797876.tif 000010
【図１０】
0003797876.tif 000011
【図１１】
0003797876.tif 000012
【図１２】
0003797876.tif 000013
【図１３】
0003797876.tif 000014
【図１４】
0003797876.tif 000015